(57)【要約】【課題】オルダムリングとともに用いられる新たなバランスウェイトを、旋回スクロールの動きとは独立して任意の方向に動かすことができるスクロール型圧縮機を提供する。【解決手段】旋回スクロール２０が固定スクロール３０に対して自転することなく公転するように旋回スクロール２０の動きを規制するオルダムリング４０と、偏心ブッシュ１８とともに旋回運動する第１バランスウェイト２５と、偏心ブッシュ１８とともに旋回運動する偏心カム（第１バランスウェイト２５）と、主軸１２の回転駆動により、偏心カムを介して直線往復運動する第２バランスウェイト５０と、を備えるスクロール型圧縮機１０。【選択図】図１
2014118847.tif 000002
【特許請求の範囲】
【請求項１】
偏心ブッシュが設けられ、駆動源により回転駆動される主軸と、
前記主軸の前記偏心ブッシュに回転自在に連結される旋回スクロールと、
前記旋回スクロールと対向することで冷媒を圧縮する圧縮室を形成し、かつ圧縮された前記冷媒を高圧室に向けて吐出するポートを端板に有する固定スクロールと、
前記旋回スクロールが前記固定スクロールに対して自転することなく公転するように前記旋回スクロールの動きを規制するオルダムリングと、
前記偏心ブッシュとともに旋回運動する第１バランスウェイトと、
前記偏心ブッシュとともに旋回運動する偏心カムと、
前記主軸の回転駆動により、前記偏心カムを介して直線往復運動する第２バランスウェイトと、
を備えることを特徴とするスクロール型圧縮機。
【請求項２】
前記第１バランスウェイトが、前記偏心カムとして機能し、
前記第２バランスウェイトが、前記オルダムリングの内側に配置され、
前記オルダムリングの往復直線運動の方向と前記第２バランスウェイトの往復直線運動の方向が直交する、
請求項１に記載のスクロール型圧縮機。
【請求項３】
前記偏心カムは、前記第１バランスウェイトとは異なる回転角の位置に設けられ、
前記第２バランスウェイトが、前記オルダムリングの内側に配置される、
請求項１に記載のスクロール型圧縮機。
【発明の詳細な説明】
【技術分野】
【０００１】
本発明は、スクロール型圧縮機に関し、特に旋回スクロールが自転するのを防止するオルダムリングの動きに起因する振動を抑制するスクロール型圧縮機に関する。
【背景技術】
【０００２】
空気調和装置や冷凍装置に用いられるスクロール型の圧縮機は、渦巻状のスクロール壁をそれぞれ有する固定スクロールと旋回スクロールとを備える。そして、固定スクロールに対して旋回スクロールを自転することなく公転旋回運動させ、双方のスクロール壁の間に形成される圧縮室の容積を減少させることで、圧縮室内の冷媒を圧縮する。
【０００３】
旋回スクロールの自転を防止するために、旋回スクロールと、これを支持するハウジングとの間にオルダムリングを介在させる。このオルダムリングは、よく知られているように、直線往復運動するため、この方向に圧縮機全体を振動させる加振力の発生源となる。圧縮機の回転速度が低い場合にはこの加振力も許容できるが、高速回転になると振動、騒音が顕著になる。
自転する他の回転系部品はアンバランスがあったとしても、駆動源であるモータにバランスウェイトを付加することでアンバランスによる振動を理論的にはゼロにすることが可能である。しかし、オルダムリングによる加振力は、回転系部品に対して設ける従来のバランスウェイト（あるいはカウンタウェイト）で相殺することができない。オルダムリングは直線往復運動するものであるのに対し、従来のバラウスウェイトは回転軸の回転に伴って回転運動するものであり、この両者の運動方向が異なるからである。
【０００４】
以上に対して、特許文献１は、一対のリング部材（外側に配置されるリング部材とその内側に配置されるリング部材）を設け、直線往復運動する個々のリング部材の合力が、旋回スクロールの公転によって生じる遠心力と同様の遠心力となるように、各リング部材を同質量でかつ同一平面上に配置させたオルダム継手を提案している。特許文献１のオルダム継手によると、従来のバランスウェイト、カウンタウェイトによって、一対のリング部材の運動に起因して発生する振動を低減することができ、装置全体としての騒音の低減及び装置内部の機器に対する悪影響の回避を行うことができる、とされている。
【先行技術文献】
【特許文献】
【０００５】
【特許文献１】特開平８−１５９０５０号公報
【発明の概要】
【発明が解決しようとする課題】
【０００６】
ところが、特許文献１のオルダム継手は、内側のリング部材（以下、新たなバランスウェイト、ということがある）は、旋回スクロールの下面に案内溝を形成し、新たなバランスウェイトをこの案内溝に沿って直線往復運動をさせる。したがって、新たなバランスウェイトの動作は旋回スクロールの動きに追従することになり、旋回スクロールと逆方向には動かせない。したがって、特許文献１の提案によると、旋回スクロールの遠心力が働く方向と同じ方向に、外側のリング部材と内側のリング部材（新たなバランスウェイト）の合力が加わることになり、旋回スクロールの歯面荷重が当該合力の分だけ増加するので、新たな振動・騒音の発生源になり得るし、旋回スクロール自体あるいは固定スクロールの強度の面で不安が生じる。
本発明は、このような技術的課題に基づいてなされたもので、オルダムリングとともに用いられる新たなバランスウェイトを、旋回スクロールの動きとは独立して任意の方向に動かすことができるオルダム継手を備えるスクロール型圧縮機を提供することを目的とする。
【課題を解決するための手段】
【０００７】
本発明は、新たなバランスウェイトを、旋回スクロールを駆動させる主軸の偏心ブッシュに設ける偏心カムを用いて動かすことにした。この場合、偏心カムを設ける角度を任意に設定できるので、新たなバランスウェイト（第２バランスウェイト）を、旋回スクロールの動きとは独立して、任意の方向に動かすことができる。
すなわち本発明のスクロール型圧縮機は、偏心ブッシュが設けられ、駆動源により回転駆動される主軸と、主軸の偏心ブッシュに回転自在に連結される旋回スクロールと、旋回スクロールと対向することで冷媒を圧縮する圧縮室を形成し、かつ圧縮された冷媒を高圧室に向けて吐出するポートを端板に有する固定スクロールと、を備える。
本発明のスクロール型圧縮機は、旋回スクロールが固定スクロールに対して自転することなく公転するように旋回スクロールの動きを規制するオルダムリングと、偏心ブッシュとともに旋回運動する第１バランスウェイトと、偏心ブッシュとともに旋回運動する偏心カムと、主軸の回転駆動により、偏心カムを介して直線往復運動する第２バランスウェイトと、を備えることを特徴とする。
【０００８】
本発明のスクロール型圧縮機において、第１バランスウェイトを偏心カムとして機能させ、さらに、第２バランスウェイトをオルダムリングの内側の同一平面内に配置し、オルダムリングの往復直線運動の方向と第２バランスウェイトの往復直線運動の方向を直交させることが好ましい。
このスクロール型圧縮機によると、偏心カムを別途用意する必要がない。また、第２バランスウェイトをオルダムリングの内側の同一平面内に配置するので、軸方向の質量のバランスを考慮する必要がない。
【０００９】
本発明は、第１バランスウェイトを偏心カムとして機能させる形態に限らず、第１バランスウェイトとは別に偏心カムを設けることができる。この偏心カムは、第１バランスウェイトとは異なる回転角の位置に設けることができる。これは、任意の回転角に偏心カムを設けることができることを示唆している。この形態においても、第２バランスウェイトが、オルダムリングの内側に配置されることが好ましい。
【発明の効果】
【００１０】
本発明によれば、主軸の回転を偏心ブッシュに設けられる偏心カムを介して、第２バランスウェイト５０を動かす。この偏心カムは、偏心ブッシュに任意の角度で取り付けることができる。したがって、本実施形態によると、第２バランスウェイトが往復直線運動する方向を任意に設定することができる。例えば、本発明に夜と、旋回スクロールの遠心力が生ずる向きとは逆の向きに第２バランスウェイトを動かすことができる。
【図面の簡単な説明】
【００１１】
【図１】本実施形態に係るスクロール型圧縮機の縦断面図である。
【図２】図１のスクロール型圧縮機に用いられるオルダムリングを示し、（ａ）は平面図、（ｂ）は（ａ）のIIｂ−IIｂ線矢視断面図である。
【図３】図１のスクロール型圧縮機に用いられる第２バランスウェイトを示し、（ａ）は平面図、（ｂ）は（ａ）のIIIｂ−IIIｂ線矢視断面図、（ｃ）は（ａ）のIIIｃ−III線矢視断面図である。
【図４】第２バランスウェイト５０の動作を回転角４５度ごとに示す図であり、（ａ）は０度、（ｂ）は４５度、（ｃ）は９０度、（ｄ）は１３５度の動作状態を示している。
【図５】図４に引き続き、（ａ）は１８０度、（ｂ）は２２５度、（ｃ）は２７０度、（ｄ）は３１５度である。
【図６】図４にオルダムリング４０を加えて示す図であり、（ａ）は０度、（ｂ）は４５度、（ｃ）は９０度、（ｄ）は１３５度の動作状態を示している。
【図７】図６に引き続き、（ａ）は１８０度、（ｂ）は２２５度、（ｃ）は２７０度、（ｄ）は３１５度である。
【図８】本実施形態の変形例を示し、（ａ）は平面図、（ｂ）は（ａ）のVIIIｂ−VIIIｂ線矢視断面図である。
【発明を実施するための形態】
【００１２】
以下、添付図面に示す実施の形態に基づいてこの発明を詳細に説明する。
図１に示すように、縦型のスクロール型圧縮機１０は、ハウジング１１の内部に、主軸１２と、主軸１２とともに回転する旋回スクロール２０と、ハウジング１１に固定された固定スクロール３０と、を備える。
スクロール型圧縮機（以下、単に圧縮機）１０は、ハウジング１１に形成された冷媒導入ポートＰ１からハウジング１１内に冷媒が導入され、旋回スクロール２０と固定スクロール３０との間に形成される圧縮室において冷媒が圧縮される。そして、圧縮された冷媒は、ハウジング１１に形成された冷媒吐出ポートＰ２から吐出される。
【００１３】
旋回スクロール２０は、円板状の端板２１に、渦巻き状で所定の高さを有したラップ壁２２が一体に形成されている。旋回スクロール２０は、後述するオルダムリング４０を介してハウジング１１の軸受１４に支持されている。
一方、固定スクロール３０は、旋回スクロール２０に対向する端板３１には、旋回スクロール２０のラップ壁２２に対向して噛み合う渦巻き状のラップ壁３２が形成されている。
【００１４】
このようにして、旋回スクロール２０と固定スクロール３０は、ラップ壁２２とラップ壁３２を互いに組み合わせている。これにより、旋回スクロール２０と固定スクロール３０との間に、圧縮室ＰＲを形成している。
これにより、旋回スクロール２０、固定スクロール３０の外周側から圧縮室ＰＲに導入された冷媒は、固定スクロール３０に対して旋回スクロール２０が公転旋回運動することにより、外周側から内周側に順次送られて圧縮される。圧縮室ＰＲで圧縮された冷媒は、固定スクロール３０に形成された吐出孔３７、吐出孔３７に設けられたリード弁３８、固定スクロール３０を覆うように設けられた上部カバー３９に設けられたリード弁３８を介し、ハウジング１１の他端側に形成された冷媒吐出ポートＰ２から吐出される。
【００１５】
主軸１２は、その両端部が、ハウジング１１に軸受１３、１４を介して回転自在に支持されている。主軸１２は、ハウジング１１の内面に固定された固定子１５と、主軸１２の外周面に固定され、固定子１５と対向する回転子１６とからなるモータ１７によって回転駆動される。なお、主軸１２は、一端を、ハウジング１１を貫通して外部に突出させ、エンジンや外部に設けられたモータ等の図示しない駆動源が主軸１２の一端に連結されることで回転駆動される構成とすることもできる。
【００１６】
主軸１２の他端部には、主軸１２の中心軸から予め定められた寸法だけ偏心した位置に、偏心ブッシュ１８が突出形成されている。旋回スクロール２０の主軸１２側には、偏心ブッシュ１８を収容する凹部２３が形成されている。偏心ブッシュ１８が、凹部２３にドライブブッシュ（軸受）２４を介して挿入されることで、この偏心ブッシュ１８に、旋回スクロール２０が回転自在に保持されている。これにより、旋回スクロール２０は、主軸１２の中心に対し、予め定められた寸法だけ偏心して設けられ、主軸１２がその軸線周りに回転すると、旋回スクロール２０は、主軸１２の中心に対して偏心した寸法を半径とした回転（公転）を行う。旋回スクロール２０が公転しつつも自転はしないよう、旋回スクロール２０と主軸１２との間には、オルダムリング４０が介在している。
【００１７】
オルダムリング４０は、図２に示すように、円環状の本体４１と、本体４１の上面で本体４１の中心を挟んで互いに対向した位置に設けられる一対の上側爪４３と、上側爪４３に対して本体４１の周方向に９０°だけずれた位置の下面に設けられる一対の下側爪４５と、からなる。なお、ここでいう上側とは旋回スクロール２０に対向する側を意味する。以下も同様である。そして、旋回スクロール２０の下面には、各上側爪４３をスライド自在に嵌め込む一対の案内溝（図示を省略）が形成され、支持ハウジングの上面には、各下側爪４５を各上側爪４３のスライド方向に対して直交する方向にスライド自在に嵌め込む一対の案内溝（図示を省略）が形成されている。
そして、上側爪４３、下側爪４５が、各々、上述した案内溝に嵌め込まれ、オルダムリング４０が軸受１４に対して直線往復運動し、且つ旋回スクロール２０がオルダムリング４０に対して、上記の往復運動方向に対して直交する方向に直線往復運動することにより旋回スクロール２０が軸受１４に対して公転運動する。
【００１８】
主軸１２は、第１バランスウェイト２５を備えている。
第１バランスウェイト２５は、旋回スクロール２０の公転旋回運動による動的アンバランスを平衡させるためのものであり、主軸１２に、偏心ブッシュ１８と対称に、つまり、旋回スクロール２０の公転旋回運動と位相が１８０度ずれて回転するように配置、固定されている。
第１バランスウェイト２５は、主軸１２の偏心ブッシュ１８に固定され、図４に示されるように、平面視して概略扇型をなす接続片２５ａと、接続片２５ａから上方に向けて立設される本体２５ｂと、からなる。本体２５ｂは、その外周のガイド面２５ｃは平面視して円弧状をなしている。このガイド面２５ｃが次に説明する第２バランスウェイト５０のカム溝５３の内側から第２バランスウェイト５０に作用することで、第２バランスウェイト５０を駆動させることができる。
主軸１２には、ハウジング１１の底部のオイル溜りから吸い上げた潤滑油を主軸１２の上端部から主軸１２と凹部２３との間のドライブブッシュ２４に供給するための潤滑油流路１２ａが形成されている。
【００１９】
主軸１２は、第２バランスウェイト５０を備えている。
第２バランスウェイト５０は、オルダムリング４０の往復直線運動による動的アンバランスを平衡させるためのものであり、第１バランスウェイト２５の回転に伴って、オルダムリング４０の運動方向と直交する方向に往復直線運動する。そのために、第２バランスウェイト５０は、第１バランスウェイト２５の周囲に配置される。
【００２０】
第２バランスウェイト５０は、図３に示すように、平面視して形状が矩形の本体５１と、本体５１の中央に表裏を貫通する角丸長方形（Rounded Rectangle)のカム溝５３と、本体５１の下面で本体５１の中心を挟んで互いに対向した位置に設けられる一対の下側爪５５と、を備えている。カム溝５３は、その長径が本体５１の短手方向（または幅方向）に沿って形成されており、一対の下側爪５５は本体５１の長手方向（または長さ方向）に沿ってその両端部に形成されている。ただし、一対の下側爪５５は、軸受１４に形成される一対の案内溝にスライド自在に嵌め込まれているので、第２バランスウェイト５０は駆動力が与えられても、その運動の方向は本体５１の長手方向に沿うように規制される。なお、この案内溝は、オルダムリング４０に対する案内溝と共通のものである。
【００２１】
第２バランスウェイト５０は、カム溝５３の内部に第１バランスウェイト２５が収容される。主軸１２の回転に伴って第１バランスｆ２５が旋回運動すると、ガイド面２５ｃがカム溝５３の内側から第２バランスウェイト５０に作用することで、第２バランスウェイト５０を駆動させることができる。第２バランスウェイト５０は、下側爪５５が案内溝４９にスライド自在に嵌め込まれているので、本体５１の長手方向に沿って直線往復運動する。
【００２２】
さて、以上の構成を備える圧縮機１０の動作を説明する。
モータ１７が駆動されると、主軸１２が軸心を中心として回転する。そうすると、偏心ブッシュ１８は、主軸１２の軸心に対して公転運動する。これに伴い、偏心ブッシュ１８が連係されている旋回スクロール２０はオルダムリング４０により自転が防止されていることにより、固定スクロール３０に対して公転運動する。これにより、各スクロール２０，３０のラップ壁２２，３２の夫々の接触箇所が、スクロール機構の中心部に向って移動し、これに伴って、圧縮室ＰＲは中心部に向って渦巻状に移動しながら収縮される。これら一連の動作によって低圧の冷媒ガスは冷媒導入ポートＰ１から圧縮室ＰＲに流入される。そして、この圧縮室ＰＲに流入された冷媒は、圧縮されて高圧となって圧縮室ＰＲの中心部に達した後、吐出孔３７を通り、冷媒吐出ポートＰ２から吐出される。
【００２３】
また、この圧縮動作の際、図示を省略した給油ポンプによって汲み上げられた潤滑油は潤滑油流路１２ａを通って主軸１２の外周側のラジアル軸受けや、主軸１２の上端部のスラスト軸受けに供給され、主軸１２や旋回スクロール２０の摺動部分を潤滑する。
【００２４】
次に、本実施形態における動作について説明する。
上述した旋回スクロール２０の公転運動に伴い、該旋回スクロール２０と軸受１４との間に介装されているオルダムリング４０は、図１における左右方向（第１の方向）にスライド移動して、このスライド方向に圧縮機１０を振動させる加振力を発生させる。
一方、オルダムリング４０の内側に配置される第２バランスウェイト５０は、図１の紙面に垂直な方向にスライド移動して、このスライド方向に圧縮機１０を振動させる加振力を発生する。第２バランスウェイト５０の動作の一例を、図４，図５に示す
【００２５】
図４、図５に示すように、主軸１２の回転に従って偏心ブッシュ１８が旋回運動すると、第１バランスウェイト２５が偏心ブッシュ１８の中心軸を回転軸として旋回運動する。そうすると、第１バランスウェイト２５がカム溝５３の内部から第２バランスウェイト５０に作用して、第２バランスウェイト５０を旋回運動させる。つまり、第２バランスウェイト５０は、見かけ上、主軸１２の回転軸を中心にして、図中、上下・左右方向に往復運動を行う。ところが、前述したように、第２バランスウェイト５０は、一対の下側爪５５が軸受１４に形成される一対の案内溝に嵌め込まれている。したがって、軸受１４に対しては、第２バランスウェイト５０の移動は、案内溝が形成された方向（第２バランスウェイト５０の本体５１の長手方向）に規制される。なお、図４，図５における回転角とは偏心ブッシュ１８の回転角をいい、回転角が０°の定義については後述する。
【００２６】
次に、第２バランスウェイト５０にオルダムリング４０を加えて両者の動作を図６，図７を参照して説明する。なお、以下の説明では、第２バランスウェイト５０が最も左側に寄っており、また、オルダムリング４０が最も右側に寄っている状態を、偏心ブッシュ１８の回転角が０°とする。また、回転角０°のときは、第２バランスウェイト５０とオルダムリング４０は、図中の上下方向の中心は一致しているものとする。なお、図６、図７の説明において上下・左右は、図中の上下・左右を意味する。
偏心ブッシュ１８が時計回りに回転するにつれて、第２バランスウェイト５０は、上方向に変位するとともに右方向に変位し、回転角が９０°に達すると、最も上側に寄る。左右方向については、変位ストロークの中央に位置する。オルダムリング４０は、左右方向について、変位ストロークの中央に位置する。
さらに偏心ブッシュ１８が回転すると、第２バランスウェイト５０は、下方向に変位し始めるとともに、右方向に変位し、回転角が１８０°に達すると、上下方向については変位ストロークの中心に位置する。オルダムリング４０は、最も左側に位置する。
さらに偏心ブッシュ１８が回転すると、第２バランスウェイト５０は、下方向及び右方向に変位しつづけ、回転角が２７０°に達すると、上下方向については最も下寄りに位置する。オルダムリング４０は、左右方向の変位ストロークの中央に位置する。
さらに偏心ブッシュ１８が回転すると、回転角が０°（図６の（ａ））の状態に戻る。
【００２７】
以上の通りであり、オルダムリング４０及びその内側に配置される第２バランスウェイト５０は、互いに直交する方向（各々をＸ方向，Ｙ方向とする）に直線往復移動する。しかも、オルダムリング４０と第２バランスウェイト５０は、同一平面上に配置されているものとみなすことができるとともに、互いに質量が等しく設定されている。したがって、オルダムリング４０と第２バランスウェイト５０の各々によるＸ方向，Ｙ方向の加振力（Ｆ４０，Ｆ５０とする）は等しく、その合力が装置全体に作用することになる。そして、この両加振力は、各々、旋回スクロール２０のＸ方向の変位量及びＹ方向の変位量に応じて増減し、各加振力Ｆ４０，Ｆ５０はオルダムリング４０及び第２バランスウェイト５０のスライド移動（Ｘ方向及びＹ方向の夫々の移動）に伴って正弦波的に変化する。このため、この加振力Ｆ４０，Ｆ５０の合力は、一定の遠心力として作用することになる。
【００２８】
ここで、オルダムリング４０及び第２バランスウェイト５０による加振力Ｆ４０，Ｆ５０は、各々式（１），（２）により求められ、これらの合力は（Ｆ４０２・Ｆ５０２）1/2となる。
ここで、ｍ４０とｍ５０は等しいので、当該合力は式（３）により表され、この合力に基づく一定の遠心力が圧縮機１０に作用する。
Ｆ４０＝ｍ４０・ｒ・ω2 ・sinθ … （１）
Ｆ５０＝ｍ５０・ｒ・ω2 ・cosθ … （２）
ｍ・ｒ・ω2       … （３）
ｍ４０：オルダムリング４０の質量
ｍ５０：第２バランスウェイト５０の質量
ｒ：旋回スクロール２０の公転半径
ω：旋回スクロール２０の角速度
θ：旋回スクロール２０の回転角度
【００２９】
このように、圧縮機１０は、オルダムリング４０と第２バランスウェイト５０を内外一対設けたことによって、オルダムリング４０と第２バランスウェイト５０が各々の移動するのに伴って発生する力を、旋回スクロール２０の回転に伴って発生する遠心力と同様に扱うことができる。さらに、この合力によって生じる遠心力の方向は、旋回スクロール２０の公転によって生じる遠心力と同方向に発生することになる。
【００３０】
このため、第１バランスウエイト２５の質量を適宜設定することにより、オルダムリング４０と第２バランスウェイト５０の移動による遠心力を相殺することができる。典型的には、第２バランスウェイト５０を設けない場合に比べて、第１バランスウエイト２５の質量を僅かに大きく設定すれはよい。
【００３１】
以上説明したように、圧縮機１０によれば、オルダムリング４０及び第１バランスウェイトに加えて第２バランスウェイト５０を設け、直線往復運動するオルダムリング４０及び第２バランスウェイト５０の合力が、旋回スクロール２０の公転によって生じる遠心力と同様の遠心力となるようにする。
そうすることで、圧縮機１０は、オルダムリング４０の動作に伴う振動を低減できる。
【００３２】
以上では、第１バランスウェイト２５に第２バランスウェイト５０を駆動するための偏心カムとしての役割を持たせたが、例えば図８に示すように、第１バランスウェイト２５とは別に偏心カム６０を偏心ブッシュ１８に設けることもできる。この偏心カム６０は、第１バランスウェイト２５と同様の形状を有しているが、偏心ブッシュ１８に対する取り付け角度が第１バランスウェイト２５とは異なる。つまり、第１バランスウェイト２５は、旋回スクロール２０の偏心の向きと１８０度だけ逆の向きに設けられるが、偏心カム６０は、旋回スクロール２０に対して任意の角度で偏心ブッシュ１８に取り付けることができる。
【００３３】
以上の通りであるから、主軸１２の回転を偏心ブッシュ１８に設けられる偏心カム（第１バランスウェイト２５，偏心カム６０）を介して、第２バランスウェイト５０を動かす。この偏心カムは、偏心ブッシュ１８に任意の角度で取り付けることができる。したがって、本実施形態によると、第２バランスウェイト５０が往復直線運動する方向を任意に設定することができる。例えば、旋回スクロール２０の遠心力が生ずる向きとは逆の向きに第２バランスウェイト５０を動かすことができる。
【００３４】
また、本実施形態によると、第２バランスウェイト５０の往復の移動距離（ストローク量）を任意に設定できる。つまり、本実施形態によると、ストローク量は、偏心カム（第１バランスウェイト２５，偏心カム６０）の偏心量を変えることで任意に設定できる。このことは、第２バランスウェイト５０の質量を任意に設定できることを示唆する。本実施形態において、第２バランスウェイト５０の慣性力がオルダムリング４０の慣性力と等価にするためには、当該偏心量及び当該質量のいずれか一方を調整すればよい。例えば、第２バランスウェイト５０の質量を減らす一方、偏心量を大きくする、あるいは、第２バランスウェイト５０の質量を増やす一方、偏心量を小さくすることで、必要な慣性力を得ることができる。
【００３５】
さらに、本実施形態は、第２バランスウェイト５０を偏心カムに嵌めるとともに、軸受１４のガイド溝に何とかを嵌めるだけでよいので、組立性がよい。
【００３６】
なお、上記実施の形態では、圧縮機構の駆動源であるモータ１７がハウジング１１の内部に組み付けられたスクロール型圧縮機を例にしたが、本発明は、圧縮機構の駆動源がハウジング１１の外部に設けられるスクロール型圧縮機に適用することができる。
これ以外にも、本発明の主旨を逸脱しない限り、上記実施の形態で挙げた構成を取捨選択したり、他の構成に適宜変更することが可能である。
【符号の説明】
【００３７】
１０    スクロール型圧縮機
１１    ハウジング
１２    主軸
１３    軸受
１５    固定子
１６    回転子
２０    旋回スクロール
２１    端板
２５    第１バランスウェイト
２５ａ  接続片
２５ｂ  本体
２５ｃ  ガイド面
３０    固定スクロール
３１    端板
３８    リード弁
３９    上部カバー
４０    オルダムリング
４１    本体
５０    第２バランスウェイト
５１    本体
Ｐ１    冷媒導入ポート
Ｐ２    冷媒吐出ポート
【図１】
2014118847.tif 000003
【図２】
2014118847.tif 000004
【図３】
2014118847.tif 000005
【図４】
2014118847.tif 000006
【図５】
2014118847.tif 000007
【図６】
2014118847.tif 000008
【図７】
2014118847.tif 000009
【図８】
2014118847.tif 000010